(57)【特許請求の範囲】
【請求項１】
ケース本体と蓋部材とを組み付けて形成され、前記ケース本体と前記蓋部材とをかしめるかしめ部を複数備え、
各かしめ部には、前記ケース本体に設けられたケース本体側かしめ具と前記蓋部材に設けられた蓋部材側かしめ具とが互いに重なり合って形成され、前記ケース本体と前記蓋部材とをかしめるために嵌入部材に嵌入されるかしめ具が複数設けられ、
前記複数のかしめ具には、一側から第一の嵌入部材に嵌入される第一のかしめ具と、他側から第二の嵌入部材に嵌入される第二のかしめ具と、が含まれる、
基板ケースであって、
前記複数のかしめ部は、前記基板ケースの一側面に、前記一側面の長手方向に沿って順次配置されるとともに、互いに隣接して配置される第一のかしめ部と第二のかしめ部とを含み、
前記第一のかしめ部の第一のかしめ具から前記第二のかしめ部の第二のかしめ具までの距離と、前記第一のかしめ部の第二のかしめ具から前記第二のかしめ部の第一のかしめ具までの距離と、が同一となるように設定される、
ことを特徴とする基板ケース。
【発明の詳細な説明】
【技術分野】
【０００１】
本発明は、ケース本体と蓋部材とを組み付けて形成される基板ケースの技術に関する。
【背景技術】
【０００２】
従来、パチンコ機やスロットルマシン等の遊技機において、制御基板を収納する部材として、基板ケースが用いられている。
特許文献１における基板ケースは、ケース本体と蓋部材とを組み付けて形成され、ケース本体と蓋部材とをかしめるかしめ部を複数備える。基板ケースの複数のかしめ部は、基板ケースの一側面に当該一側面の長手方向に沿って順次配置され、ケース本体と蓋部材とを複数箇所でかしめて固定する。
【先行技術文献】
【特許文献】
【０００３】
【特許文献１】特開２００７−２６８０６２号公報
【発明の概要】
【発明が解決しようとする課題】
【０００４】
このような基板ケースにおいては、各かしめ部の配置位置によって、当該基板ケースの一側面の長手方向における、ケース本体と蓋部材との固定箇所間の間隔に大きな差が生じる場合がある。例えば、一つのかしめ部が、前記基板ケースの一側面の一端側や他端側に偏って配置されていたり、あるかしめ部とかしめ部との間隔が、他のかしめ部とかしめ部との間隔よりも長く形成されていたりするような場合である。
この場合、比較的長い固定箇所間の間隔が、ケース本体と蓋体との間に隙間を容易に形成できる長さになりやすく、この隙間から基板ケースに収納した制御基板に不正行為が行われ得るという問題があった。
【０００５】
本発明は以上の如き状況を鑑みてなされたものであり、複数のかしめ部が配置される基板ケースの一側面において、ケース本体と蓋体との間に隙間を形成し難くして、基板ケースに収納された制御基板に不正行為が行われることを抑制することができる基板ケースを提供することを課題とする。
【課題を解決するための手段】
【０００６】
本発明の解決しようとする課題は以上の如くであり、次にこの課題を解決するための手段を説明する。
【０００７】
即ち、請求項１においては、ケース本体と蓋部材とを組み付けて形成され、前記ケース本体と前記蓋部材とをかしめるかしめ部を複数備え、各かしめ部には、前記ケース本体に設けられたケース本体側かしめ具と前記蓋部材に設けられた蓋部材側かしめ具とが互いに重なり合って形成され、前記ケース本体と前記蓋部材とをかしめるために嵌入部材に嵌入されるかしめ具が複数設けられ、前記複数のかしめ具には、一側から第一の嵌入部材に嵌入される第一のかしめ具と、他側から第二の嵌入部材に嵌入される第二のかしめ具と、が含まれる、基板ケースであって、前記複数のかしめ部は、前記基板ケースの一側面に、前記一側面の長手方向に沿って順次配置されるとともに、互いに隣接して配置される第一のかしめ部と第二のかしめ部とを含み、前記第一のかしめ部の第一のかしめ具から前記第二のかしめ部の第二のかしめ具までの距離と、前記第一のかしめ部の第二のかしめ具から前記第二のかしめ部の第一のかしめ具までの距離と、が同一となるように設定されるものである。
【発明の効果】
【０００９】
本発明の効果として、以下に示すような効果を奏する。
【００１０】
複数のかしめ部が配置される基板ケースの一側面において、ケース本体と蓋体との間に隙間を形成し難くして、基板ケースに収納された制御基板に不正行為が行われることを抑制することができる。
【図面の簡単な説明】
【００１１】
【図１】本発明の一実施形態に係る基板ケースの全体的な構成を示した斜視図。
【図２】同じく、かしめ部カバーおよびシール貼付部カバーを取り外した状態の構成を示した斜視図。
【図３】同じく、かしめ部カバーおよびシール貼付部カバーを取り外した状態の構成を示した正面図。
【図４】同じく、蓋部材およびケース本体の構成を示した基板ケースの分解斜視図。
【図５】同じく、かしめ部の配置箇所を示した正面図。
【図６】同じく、かしめ部の配置箇所を示した正面図。
【図７】本発明の別実施形態に係るかしめ部の配置箇所を示した正面図。
【発明を実施するための形態】
【００１２】
本発明の一実施形態に係る基板ケース１について、図１から図４を用いて説明する。
なお、以下の説明において、図１における矢印Ｘの指す方向を基板ケース１の右方向として左右方向を規定する。また、図１における矢印Ｙの指す方向を基板ケース１の前方向として前後方向を規定する。さらに、図１における矢印Ｚの指す方向を基板ケース１の上方向として上下方向を規定する。
【００１３】
基板ケース１は、パチンコ機やスロットルマシン等の遊技機に対して、制御基板を収納する部材として用いられる。基板ケース１は、ポリカーボネート（Ｐｏｌｙｃａｒｂｏｎａｔｅ：ＰＣ）等の透明かつ硬質な合成樹脂材料等により構成され、その内部に制御基板（不図示）を収納する中空状の部材である。基板ケース１は、その内部に制御基板を収納した状態で、パチンコ機やスロットルマシン等の遊技機の裏側に配置されて、この遊技機の裏面に取り付けられる。
【００１４】
基板ケース１は、図１から図４に示すように、ケース本体２と、蓋部材３とを備える。基板ケース１は、ケース本体２と蓋部材３とを、後前に対向させた状態で組み付け、中空状に構成される。基板ケース１においては、かしめ部７およびシール貼付部４がケース本体２と蓋部材３との間に跨って設けられて、かしめ部７がかしめ部カバー５により被覆され、シール貼付部４がシール貼付部カバー６により被覆される。
【００１５】
かしめ部７は、ケース本体２と蓋部材３とをかしめるものであり、基板ケース１に複数備えられる。本実施形態においては、かしめ部７は、２つ備えられ、基板ケース１の上端部（一側面）に、該上端部（一側面）の左右方向（長手方向）に沿って所定間隔をおいて順次配置される。
各かしめ部７は、単数または複数（本実施形態においては３つ）のかしめ具１０を有する。
【００１６】
ケース本体２は、蓋部材３とともに基板ケース１の主たる構造体を成す部材である。ケース本体２は、蓋部材３との対向側である前側および下側が開口された略直方体の箱状に形成される。ケース本体２は、その長手方向を左右方向とし、その短手方向を上下方向として配置され、背板が遊技機の裏面と対向するように当該遊技機に支持される。ケース本体２の前後幅は、上下幅よりも短く設定される。また、ケース本体２は、本体側シール貼付部４２と、本体側かしめ具２０とを備える。
【００１７】
本体側シール貼付部４２は、後述する蓋部材３の蓋側シール貼付部４３とともにシール貼付部４を構成する。本体側シール貼付部４２は、ケース本体２の右端部（右側板）から右外方へ向けて突設される。本体側シール貼付部４２は、前側が開口された略直方体の箱状に形成される。本体側シール貼付部４２の前後幅はケース本体２の前後幅の半分程度に設定され、本体側シール貼付部４２の上下幅はケース本体２の上下幅よりも短く設定される。
【００１８】
本体側かしめ具２０は、後述する蓋部材３の蓋側かしめ具３０とともにかしめ部７のかしめ具１０を構成する。本体側かしめ具２０は、ケース本体２の一側面に、複数（本実施形態においては６つ）備えられる。
複数の本体側かしめ具２０は、ケース本体２の上端部（天板）に設けられ、ケース本体２の長手方向、即ち左右方向に沿って適宜の間隔ごとに配置される。本実施形態の場合は、複数の本体側かしめ具２０は、３つずつまとまった状態で２箇所に配置されている。
【００１９】
蓋部材３は、ケース本体２とともに基板ケース１の主たる構造体を成す部材である。蓋部材３は、ケース本体２との対向側である後側が開口されたケース本体２と同程度の大きさの略直方体の箱状に形成される。蓋部材３は、その長手方向を左右方向とし、その短手方向を上下方向として配置される。蓋部材３の前後幅は、上下幅よりも短く設定される。また、蓋部材３は、蓋側シール貼付部４３と、蓋側かしめ具３０とを備える。
【００２０】
蓋側シール貼付部４３は、ケース本体２の本体側シール貼付部４２とともにシール貼付部４を構成する。蓋側シール貼付部４３は、蓋部材３の右端部（右側板）から右外方へ向けて突設される。蓋側シール貼付部４３は、ケース本体２と同程度の上下幅および左右幅を有する略平板状に形成され、蓋部材３がケース本体２に組み付けられたときに正面視で本体側シール貼付部４２と重なり合うように配置される。
【００２１】
蓋側かしめ具３０は、ケース本体２の本体側かしめ具２０とともにかしめ部７のかしめ具１０を構成する。蓋側かしめ具３０は、本体側かしめ具２０と同数（本実施形態においては６つ）備えられる。複数の蓋側かしめ具３０はそれぞれ、蓋部材３の上端部（天板）に設けられ、各蓋側かしめ具３０は、蓋部材３がケース本体２に組み付けられたときに正面視で一つの本体側かしめ具２０と重なり合うように配置される。
【００２２】
かしめ部７における１つのかしめ具１０は、一つの本体側かしめ具２０と一つの蓋側かしめ具３０とから形成される。かしめ具１０は、本体側かしめ具２０（蓋側かしめ具３０）と同数（本実施形態においては６つ）備えられる。複数のかしめ具１０は、ケース本体２と蓋部材３とが組み付けられたとき、蓋側かしめ具３０を本体側かしめ具２０に下方から嵌め込んだ状態で形成され、前後に連続する蓋部材３の天板の前側部分およびケース本体２の天板よりも上方に配置される。かしめ具１０は、基板ケース１の上端部（一側面）に、該上端部（一側面）の左右方向（長手方向）に沿って配置される。
また、６つのかしめ具１０は、二組に分けられて、基板ケース１の上端部における左右の２箇所に３つずつまとめて配置される。
【００２３】
シール貼付部４は、本体側シール貼付部４２と蓋側シール貼付部４３とから形成される。シール貼付部４は、ケース本体２と蓋部材３とが組み付けられたとき、蓋側シール貼付部４３により本体側シール貼付部４２の開口側を閉塞して、略直方体の箱状に形成される。シール貼付部４には、本体側シール貼付部４２と蓋側シール貼付部４３とを跨ぐように、封印シールが貼付される。これにより、蓋部材３がケース本体２から外されたときには、封印シールが剥離した痕跡が残るため、基板ケース１が開封されたことが視覚的に認識可能となる。
【００２４】
かしめ部カバー５は、図１に示すように、複数のかしめ部７を被覆する透明の部材である。かしめ部カバー５は、基板ケース１の内部に収納した制御基板への不正行為を防止するために用いられる。かしめ部カバー５は、下側が開口された略直方体の箱状に形成される。かしめ部カバー５は、ケース本体２と蓋部材３とが組み付けられたとき、前後に連続する蓋部材３の天板の前側部分、およびケース本体２の天板に取り付けられる。かしめ部カバー５の前後左右および上下幅は、複数のかしめ部７を外側から一括して被覆可能な長さに設定される。
【００２５】
シール貼付部カバー６は、図１に示すように、シール貼付部４を被覆する透明の部材である。シール貼付部カバー６は、基板ケース１の内部に収納した制御基板への不正行為を防止するために用いられる。シール貼付部カバー６は、左側が開口された略直方体の箱状に形成される。シール貼付部カバー６は、ケース本体２と蓋部材３とが組み付けられたとき、蓋部材３の右側板およびケース本体２の右側板に取り付けられる。シール貼付部カバー６の前後左右および上下幅は、シール貼付部４を外側から被覆可能な長さに設定される。
【００２６】
このように構成される基板ケース１において、その組み立て時には、まず、図３に示すように、蓋部材３を開口側がケース本体２の前開口側と対向するようにケース本体２の前方に移動させて、ケース本体２と蓋部材３との左右方向の位置を合わせる。次に、蓋部材３をケース本体２よりも少し下方へ移動させながらケース本体２に近づけて、蓋部材３の天板および左右側板の後側部分がケース本体２内においてケース本体２の天板および左右側板にそれぞれ内側から当接するように蓋部材３の上部における左右の凸部をケース本体２に嵌合させる。
【００２７】
その後、蓋部材３の上部をケース本体２に嵌合させたまま上方へスライド移動させて、蓋部材３の各蓋側かしめ具３０をケース本体２の各本体側かしめ具２０に下方から嵌め込んで、蓋部材３をケース本体２に組み付ける。この際、各蓋側かしめ具３０が対応する各本体側かしめ具２０と前後に並んで、各かしめ具１０が全体として略筒状に形成されることになる。同時に、蓋側シール貼付部４３が本体側シール貼付部４２と前後に並んで、シール貼付部４が形成されることになる。そして、嵌入部材を各かしめ具１０（蓋側かしめ具３０および本体側かしめ具２０）に前方または後方から嵌入して、本体側かしめ具２０と蓋側かしめ具３０とをかしめ、ケース本体２と蓋部材３とを複数のかしめ具１０にて固定する。
【００２８】
こうして、ケース本体２と蓋部材３とを組み付け、組み付けたケース本体２と蓋部材３との間に跨ってかしめ部７およびシール貼付部４を設けた後、かしめ部カバー５をケース本体２および蓋部材３の上部に取り付けて、複数のかしめ部７をかしめ部カバー５により外側から一括して覆う。また、シール貼付部カバー６をケース本体２および蓋部材３の右側部に取り付けて、シール貼付部４をシール貼付部カバー６により外側から覆う。これにより、基板ケース１の組み立てが終了して、基板ケース１が完成する。
【００２９】
次に、かしめ部７の配置箇所について、図５および図６を用いて詳細に説明する。
【００３０】
図５に示すように、前記２つのうち一方のかしめ部７は、基板ケース１の左右中央部よりも左側に配置され、他方のかしめ部７は、基板ケース１の左右中央部よりも右側に配置される。前記左側に配置されるかしめ部７と前記右側に配置されるかしめ部７とは、基板ケース１の左右中央を中心として左右対称に配置される。
なお以下において、前記左側に配置されるかしめ部７を第一かしめ部７ａと、前記右側に配置される他方のかしめ部７を第二かしめ部７ｂと称する。
また、本実施形態においては、ケース本体２と蓋部材３とを固定する際、第一かしめ部７ａが備える３つのかしめ具１０のうちの右側および中央に配置されるかしめ具１０と、第二かしめ部７ｂが備える３つのかしめ具１０のうちの左側および中央に配置されるかしめ具１０とが用いられる。第一かしめ部７ａの左側に配置されるかしめ具１０と、第二かしめ部７ｂの右側に配置されるかしめ具１０とは、予備として用いられる。このようにして、複数のかしめ部７のそれぞれにおいて、ケース本体２と蓋部材３とを固定するかしめ具１０を変更することができる。
【００３１】
本実施形態においては、第一かしめ部７ａの中央線Ｃ１と、第二かしめ部７ｂの中央線Ｃ２とは、距離Ｌを等分割する。
ここで、第一かしめ部７ａの中央線Ｃ１は、基板ケース１の上端部（一側面）における第一かしめ部７ａ構成部分の左右方向（長手方向）の中央部を示す線である。また、第二かしめ部７ｂの中央線Ｃ２は、基板ケース１の上端部（一側面）における第二かしめ部７ｂ構成部分の左右方向（長手方向）の中央部を示す線である。距離Ｌは、基板ケース１の上端部（一側面）の左右方向（長手方向）の全範囲にわたる距離を示す。
つまり、第一かしめ部７ａおよび第二かしめ部７ｂは、前記第一かしめ部７ａの中央部および前記第二かしめ部７ｂの中央部が、基板ケース１の上端部（一側面）を該上端部（一側面）の左右方向（長手方向）に等分割する箇所に位置するように配置される。
【００３２】
また、このように第一かしめ部７ａおよび第二かしめ部７ｂが配置されることにより、距離Ｌ１と距離Ｌ２とは同一の距離となり、距離Ｌ３は距離Ｌ１および距離Ｌ２より若干短くなる。
ここで、距離Ｌ１は、基板ケース１の上端部において最も左側でケース本体２と蓋部材３とを固定している箇所から、該基板ケース１の上端部における左側端部までの距離を示す。本実施形態においては、距離Ｌ１は、第一かしめ部７ａにおける中央のかしめ具１０の左端面から、基板ケース１の上端部における左側端部までの距離となる。
距離Ｌ２は、基板ケース１の上端部において最も右側でケース本体２と蓋部材３とを固定している箇所から、該基板ケース１の上端部における右側端部までの距離を示す。本実施形態においては、距離Ｌ２は、第二かしめ部７ｂにおける中央に配置されるかしめ具１０の右端面から、基板ケース１の上端部における右側端部までの距離となる。
距離Ｌ３は、基板ケース１の上端部において、隣設するかしめ部７によりケース本体２と蓋部材３とを固定している箇所間の距離を示す。本実施形態においては、距離Ｌ３は、第一かしめ部７ａの右側に配置されるかしめ具１０の右端面から、第二かしめ部７ｂの左側に配置されるかしめ具１０の左端面までの距離となる。
【００３３】
このように第一かしめ部７ａおよび第二かしめ部７ｂが配置されることにより、ケース本体２と蓋部材３とがかしめ具１０によって固定されている箇所の間隔の差（距離Ｌ１、距離Ｌ２、および、距離Ｌ３の差）を小さくすることができる。
したがって、基板ケース１によれば、複数のかしめ部７が配置される基板ケース１の一側面において、ケース本体２と蓋部材３との間に隙間を形成し難くして、基板ケース１に収納された制御基板に不正行為が行われることを抑制することができる。
【００３４】
なお、予備のかしめ具１０（第一かしめ部７ａの左側のかしめ具１０、および、第二かしめ部７ｂの右側のかしめ具１０）のみを用いてケース本体２と蓋部材３とをかしめる場合には、図６に示すように、距離Ｌ１と距離Ｌ２とは同一の距離となり、距離Ｌ３は距離Ｌ１および距離Ｌ２より若干長くなる。
つまり、この場合には、距離Ｌ１は、第一かしめ部７ａにおける左側のかしめ具１０の左端面から、基板ケース１の上端部における左側端部までの距離となる。距離Ｌ２は、第二かしめ部７ｂにおける右側に配置されるかしめ具１０の右端面から、基板ケース１の上端部における右側端部までの距離となる。距離Ｌ３は、第一かしめ部７ａの中央に配置されるかしめ具１０の左端面から、第二かしめ部７ｂの中央に配置されるかしめ具１０の右端面までの距離となる。
このため、複数のかしめ部７のそれぞれにおいて、ケース本体２と蓋部材３とを固定するかしめ具１０を変更した場合においても、ケース本体２と蓋部材３とがかしめ具１０によって固定されている箇所の間隔の差（距離Ｌ１、距離Ｌ２、および、距離Ｌ３の差）を小さくすることができる。
したがって、基板ケース１において、各かしめ部７が、ケース本体２と蓋部材３とを固定するための複数のかしめ具１０を有し、その複数のかしめ具１０のうち一部のかしめ具１０によってケース本体２と蓋部材３とが固定されても、かしめ部７が配置される基板ケース１の一側面においてケース本体２と蓋部材３との間に隙間を形成し難くして、基板ケース１に収納された制御基板に不正行為が行われることを抑制することができる。
【００３５】
次に、第一かしめ部７ａおよび第二かしめ部７ｂの配置箇所についての別実施形態を、図７を用いて説明する。
第一かしめ部７ａおよび第二かしめ部７ｂは、図７に示すように、距離Ｌ１１と、距離Ｌ１２と、距離Ｌ１３とが同一となる箇所に位置するように配置される。
ここで、距離Ｌ１１は、基板ケース１の上端部において最も左側に配置されるかしめ部７（第一かしめ部７ａ）の左端から、該上端部における左側端部までの距離を示す。
距離Ｌ１２は、基板ケース１の上端部において最も右側に配置されるかしめ部７（第二かしめ部７ｂ）の右端から、該上端部における右側端部までの距離を示す。
距離Ｌ１３は、基板ケース１の上端部において、隣設するかしめ部７間（第一かしめ部７ａの右端から第二かしめ部７ｂの左端まで）の距離を示す。
【００３６】
このように第一かしめ部７ａおよび第二かしめ部７ｂが配置されることにより、距離Ｌ１と距離Ｌ２とは同一の距離となり、距離Ｌ３は距離Ｌ１および距離Ｌ２より若干短くなり、ケース本体２と蓋部材３とがかしめ具１０によって固定されている箇所の間隔の差（距離Ｌ１、距離Ｌ２、および、距離Ｌ３の差）を小さくすることができる。
なお、本実施形態においては、ケース本体２と蓋部材３とを固定する際に、第一かしめ部７ａにおける右側および中央に配置されるかしめ具１０と、第二かしめ部７ｂにおける左側および中央に配置されるかしめ具１０とが用いられる場合について説明しており、本説明における距離Ｌ１は、第一かしめ部７ａの中央のかしめ具１０の左端面から、基板ケース１の上端部における左側端部までの距離となり、距離Ｌ２は、第二かしめ部７ｂの中央に配置されるかしめ具１０の右端面から、基板ケース１の上端部における右側端部までの距離となっている。
したがって、基板ケース１によれば、かしめ部７が配置される基板ケース１の一側面においてケース本体２と蓋部材３との間に隙間を形成し難くして、基板ケース１に収納された制御基板に不正行為が行われることを抑制することができる。
【００３７】
かしめ部７は、基板ケース１の上端部（一側面）に、３つ以上配置される構成であってもよい。
また、かしめ部７は、２つ以下または４つ以上のかしめ具１０を有する構成としてもよい。
【符号の説明】
【００３８】
１：基板ケース，２：ケース本体，３：蓋部材，７：かしめ部，１０：かしめ具
【図１】
0005445283.tif 000002
【図２】
0005445283.tif 000003
【図３】
0005445283.tif 000004
【図４】
0005445283.tif 000005
【図５】
0005445283.tif 000006
【図６】
0005445283.tif 000007
【図７】
0005445283.tif 000008